(57)【要約】【課題】個別液室と供給路との間を連通する連通路にテーパー部を設けるだけでは不十分であった、エネルギー効率の向上と駆動周波数の向上との両立を実現する。【解決手段】連通路６には、供給路７１側から個別液室５側に向かって先細るテーパー部が設けられており、インク移動方向に直交する断面積の大小関係が、供給路の連通路側端部の断面積をＡ１とし、連通路の個別供給路側端部の断面積をＡ２とし、連通路の個別液室側端部の断面積Ａ３とし、個別液室の連通路側端部の断面積Ａ４としたとき、Ａ３＜Ａ４、Ａ２≦Ａ１、Ａ３＜Ａ２のいずれも満たす関係を有する。【選択図】図４
2014058094.tif 000002
【特許請求の範囲】
【請求項１】
圧力発生手段を備えた複数の個別液室と、
各個別液室に対応して設けられ、対応する個別液室内へ液体を供給するための個別供給路と、
各個別供給路と当該個別供給路に対応する個別液室とを連通し、個別供給路側から個別液室側に向かって先細るテーパー部を備えた連通路と、
上記個別液室に連通したノズルとを備え、
上記圧力発生手段により上記個別液室内の液体に圧力を付与することで該個別液室に連通したノズルから液体を吐出させる液体吐出ヘッドにおいて、
液体移動方向に直交する断面積の大小関係が、上記個別供給路の連通路側端部の断面積をＡ１とし、上記連通路の個別供給路側端部の断面積をＡ２とし、上記連通路の個別液室側端部の断面積Ａ３とし、上記個別液室の連通路側端部の断面積Ａ４としたとき、Ａ３＜Ａ４、Ａ２≦Ａ１、Ａ３＜Ａ２のいずれも満たす関係を有しており、
上記連通路の個別液室側端部の断面積Ａ３と上記個別液室の連通路側端部の断面積Ａ４との面積差による段差面、及び、上記連通路の個別供給路側端部の断面積Ａ２と上記個別供給路の連通路側端部の断面積Ａ１との面積差による段差面は、液体移動方向に対して略直交するように形成されていることを特徴とする液体吐出ヘッド。
【請求項２】
請求項１の液体吐出ヘッドにおいて、
上記個別供給路の連通路側端部の断面積Ａ１と、上記連通路の個別供給路側端部の断面積Ａ２との関係が、下記の不等式（１）を満たしていることを特徴とする液体吐出ヘッド。
Ａ１／Ａ２  ≦  ２  ・・・（１）
【請求項３】
請求項１又は２の液体吐出ヘッドにおいて、
上記連通路の個別液室側端部の断面積Ａ３と、上記個別液室の連通路側端部の断面積Ａ４との関係が、下記の不等式（２）を満たしていることを特徴とする液体吐出ヘッド。
Ａ４／Ａ３  ≧  １．２  ・・・（２）
【請求項４】
請求項１乃至３のいずれか１項に記載の液体吐出ヘッドにおいて、
上記テーパー部のテーパー角は１２°以上であることを特徴とする液体吐出ヘッド。
【請求項５】
請求項１又は乃至４のいずれか１項に記載の液体吐出ヘッドにおいて、
上記連通路の個別供給路側端部の周縁部の少なくとも一部と、上記個別供給路の連通路側端部の周縁部の少なくとも一部とが、共通していることを特徴とする液体吐出ヘッド。
【請求項６】
圧力発生手段を備えた複数の個別液室と、
２以上の個別液室に対応して設けられ、対応する各個別液室内へ液体を供給するための供給路と、
上記供給路と対応する各個別液室とを連通し、供給路側から個別液室側に向かって先細るテーパー部を備えた連通路と、
上記個別液室に連通したノズルとを備え、
上記圧力発生手段により上記個別液室内の液体に圧力を付与することで該個別液室に連通したノズルから液体を吐出させる液体吐出ヘッドにおいて、
液体移動方向に直交する断面積の大小関係が、上記連通路の供給路側端部の断面積をＡ２とし、上記連通路の個別液室側端部の断面積Ａ３とし、上記個別液室の連通路側端部の断面積Ａ４としたとき、Ａ３＜Ａ４、Ａ３＜Ａ２のいずれも満たす関係を有しており、
上記連通路の個別液室側端部の断面積Ａ３と上記個別液室の連通路側端部の断面積Ａ４との面積差による段差面は、液体移動方向に対して略直交するように形成されており、
上記テーパー部のテーパー角は１２°以上であることを特徴とする液体吐出ヘッド。
【請求項７】
請求項１乃至６のいずれか１項に記載の液体吐出ヘッドにおいて、
上記連通路は、同じ断面積が連続するストレート部を備えていることを特徴とする液体吐出ヘッド。
【請求項８】
液体吐出ヘッドから記録材に対して液滴を吐出して該記録材上に画像を形成する画像形成装置において、
上記液体吐出ヘッドとして、請求項１乃至７のいずれか１項に記載の液体吐出ヘッドを用いたことを特徴とする画像形成装置。
【発明の詳細な説明】
【技術分野】
【０００１】
本発明は、ノズルから液滴を吐出する液体吐出ヘッド、及び、これを用いて記録材に対して液滴を吐出して画像を形成するインクジェット方式の画像形成装置に関するものである。
【背景技術】
【０００２】
この種の液体吐出ヘッドは、例えば、複写機、プリンタ、ファクシミリ、プロッタ等の画像形成装置の記録ヘッドとして用いられる。ここでいう画像形成装置は、記録材上に画像を形成するものであるが、その記録材の材質は紙に限定されるものではなく、糸、繊維、布帛、皮革、金属、プラスチック、ガラス、木材、セラミックス等のあらゆる記録材に液体を吐出して画像形成を行う装置を意味する。そして、画像形成とは、文字や図形等の意味を持つ画像を記録材に対して付与することだけでなく、パターン等の意味を持たない画像を記録材に付与する（単に液滴を吐出する）ことをも意味する。また、液滴として吐出される液体は、所謂インクに限るものではなく、吐出されるときに液体となるものであれば特に限定されるものではなく、例えばＤＮＡ試料、レジスト、パターン材料なども含まれる。したがって、いわゆる画像プリントだけでなく、インクジェット技術を利用した三次元造型技術や血液の点滴などにも利用されるものである。
【０００３】
液体吐出ヘッドは、一般に、液滴を吐出する複数のノズル（吐出口）と、これらのノズルがそれぞれ連通する個別液室（圧力発生室、圧力室、加圧液室、インク室、インク流路等とも称される。）と、これらの個別液室内の液体を昇圧させる圧力発生手段とを備える。このような液体吐出ヘッドは、圧力発生手段を駆動することで個別液室内の液体を昇圧し、その圧力によりノズルを塞ぐメニスカス状態の液体をノズルから押し出して液滴を吐出する。また、個別液室には連通路を介して供給路に連通しており、ノズルから液体を吐出して個別液室内の液体が減ると、その分の液体が連通路を介して供給路から供給される。
【０００４】
液滴を吐出させるための圧力発生手段には、いくつかの種類が存在する。例えば、個別液室の壁の一部を薄い振動板で構成し、これに圧電素子を配置し、その圧電素子に所定の駆動電圧を印加して圧電素子を変形させることで振動板を変形させ、これにより個別液室内の圧力を変化させて液滴を吐出させるピエゾ方式が挙げられる。また、例えば、個別液室の内部に発熱体を配置し、この発熱体に通電して発熱体を加熱するによって個別液室内の液体中に気泡を発生させ、これにより個別液室内の液体を昇圧して液滴を吐出させるサーマル方式が挙げられる。また、例えば、個別液室の壁を構成する振動板と、この振動板に対向して個別液室外部に配置された電極との間に電界を印加することで発生する静電力により振動板を変形させて、これにより個別液室内の圧力を変化させて液滴を吐出させる静電方式も提案されている。
【０００５】
そして、個別液室と供給路とをつなぐ連通路の形状として、特許文献１や２に記載のものが知られている。
上記特許文献１では、共通のインク室（供給路）と圧力発生室（個別液室）とを連通させるインク供給口（連通路）が、圧力発生室側が拡開したテーパー部と、ストレート部とから構成された記録ヘッドが提案されている。上記特許文献１によれば、インク供給口のテーパー部が圧力発生室側から共通のインク室側に向けて先細っていることにより、圧力発生室側から共通のインク室への流れに対しては大きな圧力損失が生じるとしている。これにより、吐出工程時に圧力発生室に圧力が印加されたとき、圧力発生室内のインクの一部がインク供給口から共通のインク室に流れ出しにくくなり、圧力発生室の圧力がインク滴吐出のために有効利用されるとしている。また、インク吐出後の圧力発生室へ共通のインク室からインクを充填する充填工程時には、インク供給口のテーパー部が共通のインク室側から圧力発生室側に向けて拡大していることにより、圧力損失が小さいので、圧力発生室に速やかにインクを充填できるとしている。すなわち、特許文献１の記載によれば、エネルギー効率の向上と駆動周波数の向上が両立できるとされている。
【０００６】
また、上記特許文献２には、枝流路（供給路）と圧力室（個別液室）とを連通させるインク供給口（連通路）を、圧力室側が先細りしたテーパー形状とした記録ヘッドが開示されている。これによれば、圧力室内におけるインク圧力の変動が枝流路内のインクに大きく影響を及ぼさないとされている。
【発明の概要】
【発明が解決しようとする課題】
【０００７】
ノズルから液体を吐出する吐出工程では、圧力発生手段により個別液室内の液体に発生させた圧力によって個別液室内の液体をノズル側へ移動させることにより、ノズルを塞ぐメニスカス状態の液体をノズルから押し出す。このとき、圧力発生手段により発生した圧力によって、個別液室内の液体は、ノズル側だけでなく、個別液室へ液体を供給するための連通路側にも移動する。この連通路側への液体の移動が多いほど、ノズル側への液体の移動が少なくなる。したがって、圧力発生手段で発生させた圧力を効率良く吐出に利用するには、その圧力によって個別液室内の液体が連通路側へ移動しにくい構成を採用することが望まれる。
【０００８】
個別液室内の液体に発生する圧力を効率良く吐出に利用しようとする場合、まず、単純に連通路の断面積を狭めて連通路を通る液体の圧力損失を大きくする方法が考えられる。しかしながら、この方法では、供給路から連通路を介して個別液室へ液体を供給する充填工程のときの圧力損失も大きくなってしまう。この場合、液体を吐出した後の個別液室内への液体の充填（供給路からの液体供給）に時間がかかってしまい、ノズルにおけるメニスカスの戻りが遅れる結果、圧力発生手段の駆動周波数を高めることができなくなる。その結果、画像形成速度が遅くなってしまうという不具合が生じる。逆に、圧力発生手段の駆動周波数を高めるために、単純に連通路の断面積を広げて連通路を通る液体の圧力損失を小さくすると、吐出工程時に発生した圧力により個別液室内の液体が連通路側へ移動しやすくなる。その結果、圧力発生手段で発生させた圧力を効率良く吐出に利用することができなくなるので、圧力発生手段で発生させる圧力を大きくする必要が生じ、エネルギー効率の悪化を招くという不具合を引き起こす。
【０００９】
上記特許文献１の記載によれば、エネルギー効率の向上と駆動周波数の向上が両立できるとされているが、本発明者らの検討の結果、テーパー部の先細り形状によっては、その先細り方向に向かって液体が流れる時に高い圧力損失を与えることができないことが判明した。上記特許文献１では、テーパー角を５°〜６０°の範囲で設定することが記載されているが、最も圧力損失が高まる６０°のテーパー角であっても、十分に高い圧力損失を得ることはできない上、液体を充填する時の圧力損失が大きくなることによりエネルギー効率としては悪化する方向である。したがって、上記特許文献１に開示の記録ヘッドでは、吐出工程時に圧力発生室内の液体がインク供給口側へ流れるときの圧力損失が不十分で、十分なエネルギー効率の向上を図ることはできない。
【００１０】
一方、上記特許文献２に開示の記録ヘッドは、枝流路（供給路）と圧力室（個別液室）とを連通させるインク供給口（連通路）に形成されたテーパー部が、上記特許文献１に開示の記録ヘッドとは逆に、圧力室側に向けて先細りしたテーパー形状を有している。本発明者らの検討によれば、テーパー部の拡大形状によって、その拡大方向に向かって液体が流れる時に高い圧力損失を得ることがわかった。したがって、上記特許文献２に開示の記録ヘッドのように、個別液室側から供給路側に向かって拡大するテーパー形状をもつ連通路であれば、そのテーパー形状が逆向きである場合よりも、吐出工程時に個別液室内の液体が連通路側へ流れるときの圧力損失を高めることができる。しかも、充填工程時に供給路内の液体が連通路を介して個別液室へ流れ込むとき、液体はテーパー形状の先細り方向に向かって流れることになり、上述したとおり、このときの圧力損失は比較的低いものである。したがって、液体吐出後に個別液室に液体を速やかに充填でき、駆動周波数の向上を図ることが可能である。
【００１１】
しかしながら、本発明者らの鋭意検討の結果、連通路のテーパー形状だけで、エネルギー効率の向上と駆動周波数の向上の両立を図ることは困難であることが判明した。すなわち、個別液室側から供給路側に向かって拡大するテーパー部をもつ連通路を採用し、そのテーパー部のテーパー角、そのテーパー部の拡大側端部の断面積、そのテーパー部の先細り側端部の断面積などを調整するだけでは、エネルギー効率の向上と駆動周波数の向上の両立を図ることは困難であることが判明した。特に、テーパー部の拡大側端部の断面積や先細り側端部の断面積を拡大すると、連通路を流れる液体の双方向の圧力損失を同時に下げることになり、逆に、これらの断面積を縮小すると、連通路を流れる液体の双方向の圧力損失を同時に挙げることになる。したがって、テーパー部の拡大側端部の断面積や先細り側端部の断面積の調整は、エネルギー効率の向上と駆動周波数の向上との間でトレードオフの関係にあり、これらの断面積の調整ではエネルギー効率の向上と駆動周波数の向上を両立させることは難しい。
【００１２】
本発明は、以上の背景に鑑みなされたものであり、その目的とするところは、個別液室と供給路との間を連通する連通路にテーパー部を設けるだけでは不十分であった、エネルギー効率の向上と駆動周波数の向上との両立を実現できる液体吐出ヘッド及びこれを備えた画像形成装置を提供することである。
【課題を解決するための手段】
【００１３】
上記目的を達成するために、本発明は、圧力発生手段を備えた複数の個別液室と、各個別液室に対応して設けられ、対応する個別液室内へ液体を供給するための個別供給路と、各個別供給路と当該個別供給路に対応する個別液室とを連通し、個別供給路側から個別液室側に向かって先細るテーパー部を備えた連通路と、上記個別液室に連通したノズルとを備え、上記圧力発生手段により上記個別液室内の液体に圧力を付与することで該個別液室に連通したノズルから液体を吐出させる液体吐出ヘッドにおいて、液体移動方向に直交する断面積の大小関係が、上記個別供給路の連通路側端部の断面積をＡ１とし、上記連通路の個別供給路側端部の断面積をＡ２とし、上記連通路の個別液室側端部の断面積Ａ３とし、上記個別液室の連通路側端部の断面積Ａ４としたとき、Ａ３＜Ａ４、Ａ２≦Ａ１、Ａ３＜Ａ２のいずれも満たす関係を有しており、上記連通路の個別液室側端部の断面積Ａ３と上記個別液室の連通路側端部の断面積Ａ４との面積差による段差面、及び、上記連通路の個別供給路側端部の断面積Ａ２と上記個別供給路の連通路側端部の断面積Ａ１との面積差による段差面は、液体移動方向に対して略直交するように形成されていることを特徴とする。
【００１４】
本発明において、連通路は、その個別供給路側端部の断面積Ａ２よりも個別液室側端部の断面積Ａ３の方が小さく形成されていて、かつ、個別供給路側から個別液室側に向かって先細るテーパー部が備わっている。これにより、連通路の両端の断面積の大小関係が逆で、かつ、そのテーパー形状も逆向きである場合と比較して、吐出工程時に個別液室内の液体が連通路側へ流出する際の圧力損失を高め、かつ、充填工程時に個別液室内へ液体が流入する際の圧力損失を低くすることができる。
【００１５】
更に、本発明においては、連通路の個別液室側端部の断面積Ａ３が、個別液室の連通路側端部の断面積Ａ４よりも小さく形成されていて、これらの面積差による段差面が液体移動方向に対して略直交する面となっている。このような段差部分においては、大断面積側から小断面積側へ移動する際の圧力損失は、小断面積側から大断面積側へ移動する際の圧力損失と比較して大きく得ることができる。したがって、連通路と個別液室との接続部分においてＡ３＜Ａ４の関係が成り立つ段差を形成することにより、吐出工程時には個別液室側から連通路側への液体の移動に対して大きな圧力損失を発揮して個別液室から連通路側への液体の流出を阻害するとともに、充填工程時には連通路側から個別液室側への液体の移動に対する圧力損失が小さいので、連通路から個別液室への液体の供給を速やかに行うことができる。その結果、連通路のテーパー形状だけでは困難であった、エネルギー効率の向上と駆動周波数の向上との両立を図ることが可能となる。
【００１６】
なお、本発明において、連通路の個別供給路側端部の断面積Ａ２が、個別供給路の連通路側端部の断面積Ａ１よりも小さく形成される場合、これらの面積差による段差面は液体移動方向に対して略直交する面で構成される。これにより、吐出工程時には、連通路側から個別供給路側への液体の移動に対して小さな圧力損失が発揮され、個別液室から連通路側への液体の流出を阻害する。一方、充填工程時には、個別供給路側から連通路側への液体の移動に対する圧力損失は比較的大きいものとなるが、上述した連通路のテーパー形状や連通路と個別液室との接続部分における圧力損失は小さいので、トータルでは、個別供給路から連通路を介して個別液室へ液体を供給することを速やかに行うことができる。このとき、連通路の個別供給路側端部の断面積Ａ２と、個別供給路の連通路側端部の断面積Ａ１とを同じにすれば、連通路と個別供給路との接続部分に段差が存在しない構成とすることができる。この場合、この接続部分を移動する液体の移動方向の違いによって圧力損失の違いが出ないので、後述の図７より明らかなように、この接続部分によって、エネルギー効率と駆動周波数の両方が一段と向上する。
【発明の効果】
【００１７】
以上、本発明によれば、個別液室と供給路との間を連通する連通路にテーパー部を設けるだけでは不十分であった、エネルギー効率の向上と駆動周波数の向上との両立を実現することができるという優れた効果が得られる。
【図面の簡単な説明】
【００１８】
【図１】実施形態に係る液体吐出ヘッドの分解斜視図である。
【図２】同液体吐出ヘッドの斜視図である。
【図３】同液体吐出ヘッド５０の幅方向断面図である。
【図４】図３の液体吐出ヘッドのＡ−Ａ断面の一部を示す断面図である。
【図５】拡がり管圧力損失の拡がり角（テーパー角）と損失係数との関係を示すグラフである。
【図６】拡大管圧力損失と縮小管圧力損失とを比較したグラフである。
【図７】吐出工程時と充填工程時における各地点の圧力損失又は損失係数についてまとめた表である。
【図８】変形例１に係る液体吐出ヘッドの一例についてのＡ−Ａ断面の一部を示す断面図である。
【図９】変形例１に係る液体吐出ヘッドの他の例についてのＡ−Ａ断面の一部を示す断面図である。
【図１０】変形例１に係る液体吐出ヘッドの更に他の例についてのＡ−Ａ断面の一部を示す断面図である。
【図１１】変形例２に係る液体吐出ヘッドの一例についてのＡ−Ａ断面の一部を示す断面図である。
【図１２】変形例３に係る液体吐出ヘッドの一例についてのＡ−Ａ断面の一部を示す断面図である。
【図１３】実施形態に係る液体吐出ヘッドを搭載したライン型インクジェットプリンタの概略図である。
【発明を実施するための形態】
【００１９】
以下、本発明に係る液体吐出ヘッドの一実施形態について、図面を用いて詳細に説明する。
図１は、本実施形態に係る液体吐出ヘッドの分解斜視図である。
図２は、本実施形態に係る液体吐出ヘッドの斜視図である。
本実施形態の液体吐出ヘッド５０は、主に、ノズルカバー３５、ノズル板３、アクチュエータ基板３６、バッキングプレート３７、ダンパプレート３８、及び、ハウジング３９を含んで構成されている。ノズル板３は複数のノズル４を有している。アクチュエータ基板３６は、ノズル４にインクを供給する複数の個別液室を形成する液室基板１１と、補助基板８とから構成される。このアクチュエータ基板３６とバッキングプレート３７とを接合することにより、共通液室、個別液室及び供給路を形成する。ノズルカバー３５は、ノズル板３に配置されたノズル４を露出開口して、液体吐出ヘッド５０の周縁部を囲うように配置される。ハウジング３９には、複数個のインクタンクを保持するタンクホルダ（不図示）に固定されている。
【００２０】
また、液体吐出ヘッド５０には、後述するインクジェット記録装置に配置されるコネクタと電気的に接続されて記録画像に応じた電気信号を伝達する電気パッドを具備するコネクタ基板（不図示）が設けられている。更に、アクチュエータ基板３６上に設けられた圧電素子を駆動するための駆動回路（不図示）と、駆動回路に電気的に接続するパッド部とコネクタ基板とを電気的に接続するＦＰＣ４０とが設けられる。記録画像に応じてインクジェット記録装置から伝達される電気信号が、コネクタ基板（不図示）とＦＰＣ４０を介して圧電素子に供給される。そして、圧電素子によって変換された機械振動が振動板を介して個別液室内のインクを加圧し、ノズルから記録用紙（記録材）に高精度にインクが吐出される。図１中に、この液体吐出ヘッドの並び方向と幅方向をしめす。
【００２１】
図３は、本実施形態に係る液体吐出ヘッド５０の幅方向断面図である。
図４は、図３の液体吐出ヘッドのＡ−Ａ断面の一部を示す断面図である。
本実施形態の液体吐出ヘッド５０におけるノズル板３は、複数個のノズル４が形成されたノズル列を２列有している。ノズル板３は、例えば、樹脂又は金属で構成される。この液体吐出ヘッド５０は、ノズル板３と、ノズル板３の各ノズル４に連通する個別液室５の側壁面を形成する液室基板１１と、複数の個別液室５の一面を形成する振動板１２とが、積層されて構成されている。振動板１２の液室基板１１に対面する側とは反対側の面には、個別液室５内の圧力を変化させるための圧力発生手段としての圧電素子２が形成される。また、液室基板１１には補助基板８が接合されている。さらに、補助基板８上には、バッキングプレート３７、ダンパプレート３８、ハウジング３９が接合されている。このような積層構造によりインク流路が形成される。
【００２２】
本実施形態において、インクタンクから供給されるインクは、不図示の液体供給口を介して共通液室４３に流入し、共通液室４３内のインクは、液体通路９を通過して、液体導入路７２を通り、個別供給路である供給路７１へ流れる。この供給路７１内のインクは、連通路６を介して、対応する個別液室５内へ供給される。
【００２３】
液室基板１１は、ガラスまたは薄い金属板の積層体、好ましくはシリコン基板で作られており、個別液室５を形成する。液室基板１１は、各ノズル列内の個別液室５間を区画する隔壁部１９を備えている。この隔壁部１９は、個別液室５だけでなく、連通路６及び供給路７１も区画している。この液室基板１１に接合されている振動板１２は、ＳｉＯ２、ＳｉＮ、ＰＳ（ポリシリコン）、ＳｉＯＮなど、比較的ヤング率が高い材料が使われ、液室基板１１をエッチングして個別液室５の空間を形成するときのエッチングストップ層として使われる。また、液室基板１１には、個別液室５に連通する連通路６及び供給路７１の空間が、個別液室５と同じく、エッチングにより形成されている。振動板１２には、供給路７１に連通する液体導入路７２が形成されている。
【００２４】
振動板１２の液室基板１１と対面する側とは反対側の面には、各個別液室５内の圧力を変化させるために、下電極１３、圧電体膜１４、上電極１５を順次積層した圧電素子２が形成される。圧電素子２の周辺部位には、絶縁層１６が積層されている。下電極１３の材料としては、例えばＴｉ、Ｐｔ、ＳＲＯ（ストロンチウムルテニウムオキサイド）、または、その組み合わせが挙げられる。圧電体膜１４の材料としては、例えば、チタン（Ｔｉ）、ジルコニア（Ｚｒ）等の金属を含むチタン酸ジルコン酸鉛（以下「ＰＺＴ」という。）等の複合有機金属酸化物が挙げられる。上電極１５はＡｕなどで形成される。絶縁層１６はＳｉＯ２またはＳｉＮなどで形成される。これらは、スパッタ等の工法で形成される。圧電素子２の各層は所望の形状にパターニングされ、駆動回路４５を挟んで両側に配設される。
【００２５】
このような下電極１３、圧電体膜１４、上電極１５を積層形成して圧電素子２を構成し、振動板１２とあわせてユニモルフ構造となる。そして、圧電素子２に電圧を印加することにより振動板１２が変位して、各個別液室５に対応する圧力発生手段として機能する。なお、圧電素子２を高密度に配列する液体吐出ヘッドでは、各圧電素子２を駆動するための一方の電極である下電極１３が、１列に配列された複数の個別液室５を駆動する複数の圧電素子２の共通電極として設けてもよい。
【００２６】
上電極１５の周囲部上にある絶縁層１６の駆動回路４５側の端部には、コンタクトホール４７を形成し、配線部材により形成される引出し配線を駆動回路４５に接続する。配線部材はＡｌまたはＡｌ合金をスパッタして形成している。駆動回路４５は、配線部材の端部に設けられたスタッドバンプと駆動回路４５に設けられたアルミパッドや金メッキにフリップチップ接合される。これにより、各圧電素子２に電圧を印加できる。
【００２７】
補助基板８は、ガラス、シリコン基板、金属板などで構成され、液室基板１１の液体導入路７２に連通する液体通路９と、駆動回路４５に接触しないように形成された貫通穴４６を備えている。
【００２８】
この補助基板８には、共通液室４３を形成するバッキングプレート３７が積層接着される。バッキングプレート３７は、２層構造となっており、上バッキングプレート３７ｂに形成される共通液室４３の断面積（インクの移動方向に対して直交する断面の面積。以下同様。）が、下バッキングプレート３７ａに形成される共通液室４３の断面積よりも大きい構造となっている。ただし、これは同じでもよい。
【００２９】
このバッキングプレート３７の上バッキングプレート３７ｂには、ダンパプレート３８が接合される。ダンパプレート３８も２層構造となっており、ダンパフィルム部３８ａがバッキングプレート３７の上バッキングプレート３７ｂに接合される。また、ダンパプレート３８のプレート部３８ｂには、共通液室４３に対応する位置に空気室を形成する穴を備えている。
【００３０】
このダンパプレート３８のプレート部３８ｂには、共通液室４３に連通する液体供給口が形成されたハウジング３９が接合される。ノズル４から吐出されるインクは、図示しないインクタンクからハウジング３９の液体供給口を介して共通液室４３に流入し、共通液室４３から液体通路９を通過して液体導入路７２に流入し、その液体導入路７２から供給路７１及び連通路６を経由してそれぞれの個別液室５内に供給される。
【００３１】
次に、本発明の特徴部分である、連通路６を通って供給路７１と個別液室５とを移動するインクの圧力損失について説明する。
本実施形態の液体吐出ヘッド５０は、図４に示すように、供給路７１、連通路６、個別液室５との間における断面積の大小関係が、Ａ３＜Ａ４、Ａ２＜Ａ１、Ａ３＜Ａ２といういずれの関係も満たしている。なお、Ａ１は供給路７１の連通路側端部の断面積であり、Ａ２は連通路６の供給路側端部の断面積であり、Ａ３は連通路６の個別液室側端部の断面積であり、Ａ４は個別液室５の連通路側端部の断面積である。
【００３２】
本実施形態において、個別液室５、連通路６、供給路７１の高さ（図４中紙面垂直方向）は、一様に同じ高さとなっている。本実施形態の連通路６は、液体移動方向（図４中左右方向）の全域にわたって、供給路７１側から個別液室５側に向けて先細りのテーパー形状となっている。また、連通路６の個別液室側端部の断面積Ａ３と個別液室５の連通路側端部の断面積Ａ４との面積差による段差面５ａは、インク移動方向（図４中左右方向）に対して略直交する面で構成されている。同様に、連通路６の個別供給路側端部の断面積Ａ２と供給路７１の連通路側端部の断面積Ａ１との面積差による段差面７１ａも、インク移動方向（図４中左右方向）に対して略直交する面で構成されている。このような断面形状を有するインク流路を流れるインクには、次のような圧力損失が作用する。
【００３３】
一般に、大きい断面積から段差で狭められた小さい断面積へ移動する際には、大きな圧力損失が作用する。以下、この圧力損失を「縮小管圧力損失」という。また、大きい断面積からテーパーで徐々に狭められて小さい断面積へ移動する際には、小さな圧力損失が作用する。以下、この圧力損失を「狭まり管圧力損失」という。また、小さい断面積から段差で拡げられた大きい断面積へ移動する際には、中程度の圧力損失が作用する。以下、この圧力損失を「拡大管圧力損失」という。また、小さい断面積からテーパーで徐々に拡げられて大きい断面積へ移動する際には、中程度の圧力損失が作用する。以下、この圧力損失を「拡がり管圧力損失」という。
【００３４】
本実施形態において、供給路７１から連通路６を介して個別液室５にインクが移動する場合（充填工程時）には、まず、供給路７１から連通路６へインクが移動する際、大断面積Ａ１から段差で狭められた小断面積Ａ２へ移動する際に生じる大きな縮小管圧力損失が作用する。また、インクが連通路６内を移動する際には、大断面積Ａ２からテーパーで徐々に狭められて小断面積Ａ３へ移動する際に生じる小さな狭まり圧力損失が作用する。また、連通路６から個別液室５へインクが移動する際には、小断面積Ａ３から段差で拡げられた大断面積Ａ４へ移動する際に生じる中程度の拡大管圧力損失が作用する。
【００３５】
逆に、個別液室５から連通路６を介して供給路７１にインクが移動する場合（吐出工程時）には、まず、個別液室５から連通路６へインクが移動する際、大断面積Ａ４から段差で狭められた小断面積Ａ３へ移動する際に生じる大きな縮小管圧力損失が作用する。また、インクが連通路６内を移動する際には、小断面積Ａ３からテーパーで徐々に拡げられて大断面積Ａ２へ移動する際に生じる中程度の拡がり圧力損失が作用する。また、連通路６から供給路７１へインクが移動する際には、小断面積Ａ２から段差で広げられた大断面積Ａ１へ移動する際に生じる中程度の拡大管圧力損失が作用する。
【００３６】
図５は、拡がり管圧力損失の拡がり角（テーパー角）と損失係数との関係を示すグラフである。
狭まり管圧力損失は、その狭まり角（テーパー角）が６０°でも、その損失係数が０．１以下であったので、その圧力損失はほぼ無視できるものであったため、図示していない。一方、拡がり管圧力損失については、図５に示すように、その拡がり角（テーパー角）θが３０°において、その損失係数は０．６以上となり、比較的大きな圧力損失を生じる。
【００３７】
図６は、拡大管圧力損失と縮小管圧力損失とを比較したグラフである。
このグラフは、横軸に断面積比をとり、縦軸に圧力損失をとったものである。圧力損失の単位はＰａであるが、流速によりその数値が変化するので、このグラフは傾向を表す一例である。入り口側流速を基準とし、圧力損失を比較すると、拡大管圧力損失よりも縮小管圧力損失の方が圧倒的に大きい。
【００３８】
本実施形態においては、狭まり管圧力損失、拡がり管圧力損失、縮小管圧力損失、拡大管圧力損失の４種類の圧力損失を組み合わせて利用することにより、供給路７１と個別液室５との間のインク移動時におけるトータルの圧力損失を調整している。具体的には、個別液室５から供給路７１へのインク移動の際（吐出工程時）には、大きな縮小管圧力損失と、中程度の拡がり管圧力損失と、中程度の拡大管圧力損失とを組み合わせて、相対的に大きな圧力損失を実現する。一方、供給路７１から個別液室５へのインク移動の際（充填工程時）には、大きな縮小管圧力損失と、小さな狭まり管圧力損失と、中程度の拡大管圧力損失とを組み合わせて、相対的に小さな圧力損失を実現する。
【００３９】
その結果、供給路７１から個別液室５への流れに対する圧力損失よりも、個別液室５から供給路７１への流れに対する圧力損失の方が大きくなる方向性を有する圧力損失を形成することができる。したがって、ノズル４からインク滴を吐出する吐出工程時には、個別液室５内のインクが連通路６を介して供給路７１側へ移動しにくくなる。その結果、個別液室５内のインクに生じた圧力がノズル４内のインクに効率よく伝達され、エネルギー効率のよい吐出工程を実現できる。また、インク滴の吐出後に供給路７１内のインクを個別液室５へ充填する充填工程時には、供給路７１内のインクが連通路６を介して個別液室５側へ移動しやすくなる。その結果、個別液室５内へのインクの充填が速やかに行われる結果、駆動周波数の向上を実現できる。
【００４０】
具体例として、供給路７１の連通路側端部の断面積Ａ１の幅（図４中上下方向）を６０μｍとし、連通路６の供給路側端部の断面積Ａ２の幅を４０μｍとし、連通路６の個別液室側端部の断面積Ａ３の幅を３０μｍとし、個別液室５の連通路側端部の断面積Ａ４の幅を６０μｍとし、いずれも高さ（図４中紙面垂直方向）が８０μｍであるものを考える。
【００４１】
この具体例において、個別液室５と連通路６との接続部分における圧力損失について見ると、個別液室５から連通路６へのインクの移動時（吐出工程時）には、その断面積比（Ａ４／Ａ３）が２．０である縮小管圧力損失が生じる。逆に、連通路６から個別液室５へのインクの移動時（充填工程時）において、断面積比（Ａ３／Ａ４）が０．５である拡大管圧力損失が生じる。図６に示すグラフの結果から、個別液室５と連通路６との接続部分には、吐出工程時には相対的に大きな縮小管圧力損失が生じ、充填工程時には相対的に小さな圧力損失が生じることがわかる。しかも、両者の圧力損失の差は、非常に大きなものである。
【００４２】
また、連通路６内の圧力損失について見ると、連通路６内を個別液室５側から供給路７１側へインクが移動する吐出工程時には、拡がり管圧力損失が生じるため、図５に示すような損失係数に基づく圧力損失が発生する。本具体例では、拡がり管のテーパー角が３０°であるので、損失係数は０．６以上であり、かなり大きな損失を生じる。逆に、連通路６内を供給路７１側から個別液室５側へインクが移動する充填工程時には、狭まり管圧力損失が生じるが、その狭まり管のテーパー角は同じく３０°であり、その損失係数は０．０２以下であり、ほぼ無視できるレベルである。したがって、連通路６内における圧力損失は、吐出工程時には相対的に大きな縮小管圧力損失が生じ、充填工程時には相対的に小さな圧力損失が生じ、両者の圧力損失の差は、比較的大きなものである。
【００４３】
また、供給路７１と連通路６との接続部分における圧力損失について見ると、連通路６から供給路７１へのインクの移動時（吐出工程時）には、その断面積比（Ａ２／Ａ１）が０．６７である拡大管圧力損失が生じる。逆に、供給路７１から連通路６へのインクの移動時（充填工程時）においては、断面積比（Ａ１／Ａ２）が１．５である縮小管圧力損失が生じる。図６に示すグラフの結果から、供給路７１と連通路６との接続部分には、吐出工程時には相対的に小さな拡大管圧力損失が生じ、充填工程時には相対的に大きな圧力損失が生じることがわかる。しかしながら、両者の圧力損失の差は比較的小さなものである。
【００４４】
以上のような各地点においける圧力損失をトータルでみると、吐出工程時には、個別液室５から供給路７１へのインク移動の圧力損失を大きくし、かつ、充填工程時には、供給路７１から個別液室５へのインク移動の圧力損失を小さくすることができる。
特に、本実施形態では、供給路７１が隔壁部１９によって区切られて個別液室５ごとに設けられているので、供給路７１の連通路側端部の断面積Ａ１を小さくできる。よって、供給路７１と連通路６との接続部分における圧力損失について、充填工程時における縮小管圧力損失を小さく抑えることができる。このとき、吐出工程時における拡大管圧力損失も小さくなるため、エネルギー効率の観点からすると不利である。しかしながら、上述したとおり、吐出工程時には、個別液室５と連通路６との接続部分で大きな縮小管圧力損失を得ることができるので、全体的にみれば、充填工程時の圧力損失低減を図るために、供給路７１の連通路側端部の断面積Ａ１を小さくして、供給路７１と連通路６との接続部分における圧力損失を小さくすることが有益である。
【００４５】
図７は、吐出工程時と充填工程時における各地点の圧力損失又は損失係数についてまとめた表である。
本実施形態では、吐出工程時において、個別液室５と連通路６との接続部分における縮小管圧力損失と、連通路６内での拡がり管圧力損失（損失係数）が相対的に大きいことから、吐出工程時に個別液室５内の液体が連通路６から流出する際の圧力損失あるいは損失係数が大きい。そのため、個別液室５内のインクに生じた圧力をノズル４内のインクに効率よく伝達でき、エネルギー効率のよい吐出工程を実現できる。
【００４６】
また、充填工程時においては、個別液室５と連通路６との接続部分における拡大管圧力損失と、連通路６内での狭まり管圧力損失（損失係数）が相対的に小さいことから、供給路７１内のインクを連通路６を介して個別液室５側へスムーズに移動させることができる。その結果、個別液室５内へのインクの充填が速やかに行われ、駆動周波数の向上を実現できる。
【００４７】
連通路６のテーパー角θは、連通路６内を移動するインクの拡がり管圧力損失（損失係数）を変化させるパラメータである。テーパー角θは、図５に示したように、１２°を下回ると、ストレート管（テーパー角θ＝０°）の場合よりも、損失係数が低い値を示す。したがって、拡がり管の効果によって圧力損失を高めたい場合には、テーパー角を１２°以上にすることが望まれる。なお、テーパー角の上限は、理論上は９０°未満であるが、現実的には、連通路６の供給路側端部の断面積Ａ２と、個別液室側端部の断面積Ａ３と、連通路６の長さとの関係から、おのずと制限される。
【００４８】
〔変形例１〕
次に、上記実施形態における液体吐出ヘッド５０の一変形例（以下、本変形例を「変形例１」という。）について説明する。
本変形例１においては、連通路６が、テーパー部とストレート部を備えている例である。ストレート部は、充填工程時と吐出工程時とで圧力損失の違いを出す効果は無いが、ストレート部を設けることで圧力損失の値を適切に調整できるという効果がある。すなわち、圧力損失の大きさをノズル径やインク粘度に応じて設定したい場合、図４の場合では吐出効率向上を優先するため、テーパー角、断面積比などで圧力損失の大きさを同時に設定するのは難しい場合がある。このような場合には、本変形例１のようにストレート部を設けることにより、かなり自由な圧力損失の大きさを設定できるという利点がある。
【００４９】
本変形例１としては、例えば、図８に示すように、連通路６の略中央部にテーパー部６１を設け、その両側にストレート部６２Ａ，６２Ｂを設けた構成が挙げられる。また、図９に示すように、連通路６の略中央部にストレート部６２を設け、その両側にテーパー部６１Ａ，６１Ｂを設けた構成も挙げられる。また、図１０に示すように、テーパー部６１のいずれか一方の端部にストレート部６２を設けた構成も挙げられる。
【００５０】
連通路６のテーパー部６１とこれに接続される個別液室５（あるいは供給路７１）との接続部分における角は、鋭角又は鈍角になるため、製作時の寸法精度を高めにくい。これに対し、図８や図１０に示した例のように、連通路６の少なくとも一端部がストレート部である場合、これと接続される個別液室５（あるいは供給路７１）の接続部分における角は直角となり、製作時の寸法精度が高まり、特性が向上する効果がある。
【００５１】
〔変形例２〕
次に、上記実施形態における液体吐出ヘッド５０の他の変形例（以下、本変形例を「変形例２」という。）について説明する。
本変形例２においては、供給路７１と連通路６との接続部分に存在していた段差の少なくとも一部をなくし、その箇所において、連通路６の供給路側端部の周縁部と供給路７１の連通路側端部の周縁部とを共通にした構成である。このような構成によれば、供給路７１から連通路６へのインクの移動時に、無くした段差によって生じていた比較的大きな縮小管圧力損失を無くすことができる。よって、充填工程時に個別液室５へより速やかにインクを充填できるようになり、駆動周波数の向上に寄与できる。
【００５２】
特に、図１１に示した例は、供給路の連通路側端部の断面積Ａ１と連通路６の個別供給路側端部の断面積Ａ２とを一致させ、連通路６の供給路側端部の周縁部と供給路７１の連通路側端部の周縁部の全体を共通にしている。これにより、充填工程時には、供給路７１と連通路６との接続部分において縮小管圧力損失が生じないので、個別液室５への充填をより速やかに行うことができるようになり、駆動周波数の向上を図ることができる。
【００５３】
〔変形例３〕
次に、上記実施形態における液体吐出ヘッド５０の更に他の変形例（以下、本変形例を「変形例３」という。）について説明する。
上記実施形態では、供給路７１が個別液室５ごとに隔壁部１９によって区画され、個別液室５ごとに独立して設けられていたが、本変形例３では、図１２に示すように、供給路７１を区画していた隔壁部１９の部分を取り去り、２以上の個別液室５ごとに共通の供給路を設けたものである。
【００５４】
本変形例３の構成であっても、吐出工程時において、個別液室５と連通路６との接続部分における縮小管圧力損失と、連通路６内での拡がり管圧力損失（損失係数）とで大きな圧力損失を得ることができる。したがって、個別液室５内のインクに生じた圧力をノズル４内のインクに効率よく伝達でき、エネルギー効率のよい吐出工程を実現できる。
【００５５】
また、本変形例３の構成であっても、充填工程時において、個別液室５と連通路６との接続部分における拡大管圧力損失と、連通路６内での狭まり管圧力損失（損失係数）とが小さな圧力損失を実現している。したがって、供給路７１内のインクを連通路６を介して個別液室５側へスムーズに移動させることができ、個別液室５内へのインクの充填が速やかに行われ、駆動周波数の向上を実現できる。
【００５６】
ただし、本変形例３の構成においては、連通路６に設けられるテーパー部６１のテーパー角θは１２度以上であることが必要である。この場合、図１２に示すように、連通路６にストレート部６２が形成されていてもよい。
【００５７】
次に、上記液体吐出ヘッド５０を搭載する画像形成装置としてのインクジェット記録装置について説明する。
図１３は、上記液体吐出ヘッド５０を搭載したインクジェット記録装置であるライン型インクジェットプリンタの概略図である。
ベルト駆動ローラ６４とベルト従動ローラ６３に巻回された搬送ベルト６５が図示しないモータにより駆動される。搬送ベルト６５の内側には搬送ベルトのガイドとしてプラテン６６が設置されている。給紙カセット６７に堆積されている記録紙Ｓは給紙ローラ６０により分離されガイド板６８に沿って給送される。
プラテン６６に対向する位置に、搬送ベルト６５に向かって噴射ができるようにインクジェットラインヘッドの各色（Ｂｋ、Ｃ、Ｍ、Ｙ）それぞれ５０Ｂｋ，５０Ｃ，５０Ｍ，５０Ｙが配設されている。これらのインクジェットラインヘッドは通常いくつかの短いインクジェットヘッド、例えば、本実施形態の図２に示すインクジェットヘッドを精度良く並べて紙幅以上の長さに構成されている。
【００５８】
さらに、記録紙に前処理を施す前処理ユニット５１を設けても良い。前処理ユニット５１は、例えば、記録紙Ｓ上にインクを定着できる前処理液を塗布するユニットである。また、５５は記録紙Ｓに付着したインクを乾燥させる後処理ユニットである。剥し爪５６は搬送ベルト６５から記録紙Ｓを剥すように設置され、一対の排紙ローラ５７，５８に記録紙Ｓは送り込まれ、排紙カセット５９に堆積される。このように、小型、高集積、低コストのヘッドをアレイ化して構成するため、低コスト、高画質の画像形成装置を提供することができる。
【００５９】
以上に説明したものは一例であり、本発明は、次の態様ごとに特有の効果を奏する。
（態様Ａ）
圧電素子２等の圧力発生手段を備えた複数の個別液室５と、各個別液室５に対応して設けられ、対応する個別液室内へインク等の液体を供給するための供給路７１等の個別供給路と、各個別供給路と当該個別供給路に対応する個別液室とを連通し、個別供給路側から個別液室側に向かって先細るテーパー部６１を備えた連通路６と、上記個別液室に連通したノズル４とを備え、上記圧力発生手段により上記個別液室内の液体に圧力を付与することで該個別液室に連通したノズル４から液体を吐出させる液体吐出ヘッド５０において、液体移動方向に直交する断面積の大小関係が、上記個別供給路の連通路側端部の断面積をＡ１とし、上記連通路の個別供給路側端部の断面積をＡ２とし、上記連通路の個別液室側端部の断面積Ａ３とし、上記個別液室の連通路側端部の断面積Ａ４としたとき、Ａ３＜Ａ４、Ａ２≦Ａ１、Ａ３＜Ａ２のいずれも満たす関係を有しており、上記連通路６の個別液室側端部の断面積Ａ３と上記個別液室の連通路側端部の断面積Ａ４との面積差による段差面、及び、上記連通路の個別供給路側端部の断面積Ａ２と上記個別供給路の連通路側端部の断面積Ａ１との面積差による段差面は、液体移動方向に対して略直交するように形成されていることを特徴とする。
これによれば、狭まり管圧力損失、拡がり管圧力損失、縮小管圧力損失、拡大管圧力損失の４種類の圧力損失を組み合わせて利用して、個別供給路と個別液室との間のインクの移動時におけるトータルの圧力損失を調整することができる。その結果、個別液室から個別供給路へのインク移動の際（吐出工程時）には、トータルで大きな圧力損失を実現する一方、個別供給路から個別液室へのインク移動の際（充填工程時）には、トータルで圧力損失を小さく抑えることができる。これにより、エネルギー効率の向上と駆動周波数の向上の両立を図ることができる。
【００６０】
（態様Ｂ）
上記態様Ａにおいて、上記個別供給路の連通路側端部の断面積Ａ１と、上記連通路の個別供給路側端部の断面積Ａ２との関係が、下記の不等式（１）を満たしていることを特徴とする。
Ａ１／Ａ２  ≦  ２  ・・・（１）
上記個別供給路の連通路側端部の断面積Ａ１と上記連通路の個別供給路側端部の断面積Ａ２との断面積比Ａ１／Ａ２が２以下であれば、図５により、充填工程での縮小管圧力損失が大きくなるが、図７により、各工程の圧力損失の合計で見ると、吐出工程の損失が勝る範囲であり、この範囲の断面積比とすることにより、吐出効率及び吐出特性（応答周波数）が向上する。
【００６１】
（態様Ｃ）
上記態様Ａ又はＢにおいて、上記連通路の個別液室側端部の断面積Ａ３と、上記個別液室の連通路側端部の断面積Ａ４との関係が、下記の不等式（２）を満たしていることを特徴とする。
Ａ４／Ａ３  ≧  １．２  ・・・（２）
上記連通路の個別液室側端部の断面積Ａ３と上記個別液室の連通路側端部の断面積Ａ４との断面積比Ａ４／Ａ３が１．２以下であれば、図５により吐出工程での縮小管圧力損失が充填工程の拡大管圧力損失より明らかに大きく、この範囲の断面積比とすることにより吐出工程の圧力損失が勝る範囲であり、吐出効率及び吐出特性（応答周波数）が向上する。
【００６２】
（態様Ｄ）
上記態様Ａ〜Ｃのいずれかの態様において、上記テーパー部６１のテーパー角は１２°以上であることを特徴とする。
これによれば、テーパー部６１において拡がり管圧力損失を有効に発揮させることができ、拡がり管圧力損失を利用した圧力損失の調整を効果的に行うことができる。
【００６３】
（態様Ｅ）
上記態様Ａ〜Ｄのいずれかの態様において、上記連通路６の個別供給路側端部の周縁部の少なくとも一部と、上記個別供給路の連通路側端部の周縁部の少なくとも一部とが、共通していることを特徴とする。
これによれば、連通路と個別供給路との接続部分における縮小管圧力損失を軽減して、充填工程時に液体をスムーズに個別液室へ移動することができ、駆動周波数の向上を図ることができる。
【００６４】
（態様Ｆ）
圧力発生手段を備えた複数の個別液室と、２以上の個別液室に対応して設けられ、対応する各個別液室内へ液体を供給するための供給路と、上記供給路と対応する各個別液室とを連通し、供給路側から個別液室側に向かって先細るテーパー部を備えた連通路と、上記個別液室に連通したノズルとを備え、上記圧力発生手段により上記個別液室内の液体に圧力を付与することで該個別液室に連通したノズルから液体を吐出させる液体吐出ヘッドにおいて、液体移動方向に直交する断面積の大小関係が、上記連通路の供給路側端部の断面積をＡ２とし、上記連通路の個別液室側端部の断面積Ａ３とし、上記個別液室の連通路側端部の断面積Ａ４としたとき、Ａ３＜Ａ４、Ａ３＜Ａ２のいずれも満たす関係を有しており、上記連通路の個別液室側端部の断面積Ａ３と上記個別液室の連通路側端部の断面積Ａ４との面積差による段差面は、液体移動方向に対して略直交するように形成されており、上記テーパー部のテーパー角は１２°以上であることを特徴とする。
この態様Ｆも、狭まり管圧力損失、拡がり管圧力損失、縮小管圧力損失、拡大管圧力損失の４種類の圧力損失を組み合わせて利用して、個別供給路と個別液室との間のインクの移動時におけるトータルの圧力損失を調整することができる。その結果、個別液室から個別供給路へのインク移動の際（吐出工程時）には、トータルで大きな圧力損失を実現する一方、個別供給路から個別液室へのインク移動の際（充填工程時）には、トータルで圧力損失を小さく抑えることができる。これにより、エネルギー効率の向上と駆動周波数の向上の両立を図ることができる。
【００６５】
（態様Ｇ）
上記態様Ａ〜Ｆのいずれかの態様において、上記連通路６は、同じ断面積が連続するストレート部６２を備えていることを特徴とする。
これによれば、ストレート部を設けることで、圧力損失の値を適切に調整することが容易になる。特に、このストレート部が連通路６の少なくとも一端部を構成する場合、当該少なくとも一端部に接続される個別液室や供給路の接続部分における角が直角となり、製作時の寸法精度が高まり、特性が向上する。
【００６６】
（態様Ｈ）
液体吐出ヘッドから記録紙Ｓ等の記録材に対して液滴を吐出して該記録材上に画像を形成するライン型インクジェットプリンタ等の画像形成装置において、上記液体吐出ヘッドとして、上記態様Ａ〜Ｇのいずれかの態様に係る液体吐出ヘッド５０を用いたことを特徴とする。
これによれば、エネルギー効率の向上と駆動周波数の向上とを両立した状態で、画像を形成することができる。
【符号の説明】
【００６７】
２  圧電素子
３  ノズル板
４  ノズル
５  個別液室
５ａ，７１ａ  段差面
６  連通路
８  補助基板
９  液体通路
１１  液室基板
１２  振動板
１９  隔壁部
３５  ノズルカバー
３６  アクチュエータ基板
３７  バッキングプレート
３８  ダンパプレート
３９  ハウジング
４３  共通液室
４５  駆動回路
５０  液体吐出ヘッド
６１  テーパー部
６２  ストレート部
７１  供給路
７２  液体導入路
【先行技術文献】
【特許文献】
【００６８】
【特許文献１】特開平８−１７４８２４号公報
【特許文献２】特開２００１−２７０１０３号公報
【図１】
2014058094.tif 000003
【図２】
2014058094.tif 000004
【図３】
2014058094.tif 000005
【図４】
2014058094.tif 000006
【図５】
2014058094.tif 000007
【図６】
2014058094.tif 000008
【図７】
2014058094.tif 000009
【図８】
2014058094.tif 000010
【図９】
2014058094.tif 000011
【図１０】
2014058094.tif 000012
【図１１】
2014058094.tif 000013
【図１２】
2014058094.tif 000014
【図１３】
2014058094.tif 000015